【手続補正書】
【提出日】平成21年11月27日(2009.11.27)
【手続補正１】
【補正対象書類名】特許請求の範囲
【補正対象項目名】全文
【補正方法】変更
【補正の内容】
【特許請求の範囲】
【請求項１】
装飾用デバイスであって、
露出した表面を有する個人のアイテムに選択的に取り付けられ、側壁と該側壁に隣接する下側表面とを有し、該個人のアイテムに面している第１の端を提供されるように適合された第１の部材であって、該第１の部材の該第１の端の該下側表面は、該第１の部材が該個人のアイテムに取り付けられているときに該個人のアイテムの該露出した表面と直接接触する、第１の部材と、
該第１の部材と解放可能に係合することができる第２の部材であって、該第２の部材は、該第１の部材の該第１の端を受け取るように適合されたリセスを有しており、かつ、該第１の部材と該第２の部材とが係合されたときに、実質的に該側壁の幅に沿って該側壁に接触するように適合されたフランジを有し、該第２の部材の上側表面は、該第１の部材と該第２の部材とが係合されたときに見ることができる装飾物を提供される、第２の部材と
を備え、
該第１の部材と該第２の部材とのうちの一方は、磁気要素を提供され、該第１の部材と該第２の部材とのうちの他方は、磁石によって引き寄せることが可能である、装飾用デバイス。
【請求項２】
前記フランジの下側表面は、前記第１の部材が前記個人のアイテムに取り付けられ、前記第２の部材が該第１の部材と係合されるとき、該個人のアイテムの前記露出した表面と接触する、請求項１に記載の装飾用デバイス。
【請求項３】
前記第１の部材は、該第１の部材が前記個人のアイテムに取り付けられるとき該個人のアイテムの厚さを通して延びる第２の端をさらに提供される、請求項１に記載の装飾用デバイス。
【請求項４】
前記装飾物は、前記第２の部材の前記上側表面に結合される別個の要素上に提供される、請求項１に記載の装飾用デバイス。
【請求項５】
前記第１の部材は、磁石を提供される、請求項１に記載の装飾用デバイス。
【請求項６】
前記第２の部材は、磁石を提供される、請求項１に記載の装飾用デバイス。
【請求項７】
前記第１の部材と前記第２の部材とが係合したときに、該第２の部材の雄部材が、該第１の部材のくぼみの中に受け取られるように、該第１の部材は、前記第１の端において、該くぼみを提供され、該雄部材は、該第２の部材の前記リセス内に提供される、請求項１に記載の装飾用デバイス。
【請求項８】
前記雄部材は、磁石である、請求項７に記載の装飾用デバイス。
【請求項９】
前記第１の部材は、鉄の材料で作られている、請求項７に記載の装飾用デバイス。
【請求項１０】
装飾用デバイスであって、
個人のアイテムに選択的に取り付け可能である第１の部材であって、側壁を有する第１の端を提供されている第１の部材と、
該第１の部材と解放可能に係合することができる第２の部材であって、該第２の部材は、該第１の部材の該第１の端を受け取るリセスを有し、かつ、該第１の部材と該第２の部材とが係合されたときに、実質的に該側壁の幅に沿って該側壁に接触するフランジを有し、該第２の部材の上側表面は、該第１の部材と該第２の部材とが係合されたときに見ることができる装飾物を提供され、該第１および第２の部材のうちの一方が磁気要素を提供され、該第１および第２の部材のうちの他方が磁石によって引き寄せることが可能である、第２の部材と
を備え、該フランジの下側表面は、該第１の部材が該個人のアイテムに取り付けられ、該第２の部材が該第１の部材と係合されるときに、該個人のアイテムと接触する、装飾用デバイス。
【請求項１１】
前記第１の部材が、該第１の部材が前記個人のアイテムに取り付けられるときに該個人のアイテムの厚さを介して延びる第２の端にさらに提供される、請求項１０に記載の装飾用デバイス。
【請求項１２】
装飾用デバイスであって、
個人のアイテムに選択的に取り付けられるように適合された第１の部材であって、該第１の部材は、側壁を提供された第１の端を有し、磁石によって取り付け可能である、第１の部材と、
リセスと、該リセスを画定する内側環状壁が境界となる環状キャビティとを有する第２の部材であって、磁石が該環状キャビティの中に提供されており、該第１の部材と該第２の部材とが係合されたときに、該第１の部材の該第１の端は、該第２の部材の該リセスの中で受け取られ、該第２の部材の該内側環状壁は、該第１の部材の該側壁に当たる、第２の部材と
を備えている、装飾用デバイス。
【請求項１３】
前記第２の部材の上側領域に結合されたレンズと、該レンズの下に提供された装飾要素とをさらに備えている、請求項１２に記載の装飾用デバイス。
【請求項１４】
前記レンズは、前記第２の部材に取り外し可能に固定されている、請求項１２に記載の装飾用デバイス。
【請求項１５】
前記第２の部材の上側領域は、装飾物を提供される、請求項１２に記載の装飾用デバイス。
【請求項１６】
装飾用デバイスであって、
複数の第１の部材であって、それぞれが、側壁を有する第１の端を提供されている、複数の第１の部材と、
該複数の第１の部材に結合されたスペーサであって、該複数の第１の部材は、該スペーサによって互いに対して相対的な位置に保持されている、スペーサと、
該複数の第１の部材と解放可能に係合することができる第２の部材であって、該第２の部材は、複数のリセスを有し、各リセスは、該複数の第１の部材のうちの１つの部材の該第１の端を受け取り、該複数の第１の部材のうちの１つの部材の該側壁を係合するように適合されており、該第２の部材は、該複数の第１の部材に磁気的に結合することができる、第２の部材と
を備えている、装飾用デバイス。
【請求項１７】
前記第２の部材の上側領域は、装飾物を提供される、請求項１６に記載の装飾用デバイス。
【請求項１８】
装飾用デバイスであって、
リセスを画定する側壁を有する第１の部材と、
該第１の部材と解放可能に係合することができる第２の部材であって、該第２の部材は、該第１の部材と該第２の部材とが係合されたときに、該リセスによって受け取られる雄部材を有する、第２の部材と、
該第２の部材の上側領域に結合された装飾物と
を備えており、
該第１の部材と該第２の部材とのうちの一方は、磁気要素を提供され、該第１の部材と該第２の部材とのうちの他方は、磁石によって引き寄せることが可能である、装飾用デバイス。
【請求項１９】
前記第２の部材の上側領域に結合されたレンズをさらに備えている、請求項１８に記載の装飾用デバイス。
【請求項２０】
前記第１の部材は、磁石を提供される、請求項１８に記載の装飾用デバイス。
【請求項２１】
前記第２の部材は、磁石を提供される、請求項１８に記載の装飾用デバイス。
【請求項２２】
装飾用デバイスであって、
側壁を有する第１の端を提供される第１の部材と、
該第１の部材と解放可能に係合できる第２の部材であって、該第２の部材は雄部材と、該雄部材の外側表面の周囲に配置された環状磁石とを提供され、該第２の部材は該第１の部材の該第１の端を受け取るように適合されたリセスを有し、かつ該第１の部材と該第２の部材とが係合されるときに実質的に該側壁の幅に沿って該側壁と接触する用に適合されたフランジを有し、該磁石は長手方向軸に沿って該側壁の遠位に全体が配置される、第２の部材と
を備えている、装飾用デバイス。
【請求項２３】
前記第２の部材の上側領域は、前記第１の部材と前記第２の部材とが係合されるときに、見ることができる装飾物を提供される、請求項２２に記載の装飾用デバイス。
【請求項２４】
前記装飾物に隣接して、前記第２の部材の上側領域に結合されたレンズをさらに備えている、請求項２３に記載の装飾用デバイス。
【請求項２５】
前記装飾物は、前記第２の部材の前記上側表面に結合される別個の要素上に提供される、請求項２３に記載の装飾用デバイス。
【請求項２６】
第１の部材を有する個人のアイテムのための装飾用デバイスであって、
該第１の部材の第１の端を受け取るように適合されたリセスを有する装飾部材を備え、該装飾部材は、該第１の部材と該装飾部材とが係合されるときに、実質的に側壁の幅に沿って該第１の部材の側壁と接触するフランジを有し、該装飾部材の上側表面は、該装飾部材が該第１の部材に係合されるときに見ることができる装飾用外観を提供され、該装飾部材は雄部材と、該雄部材の外側表面の周囲に配置された環状磁石とを提供され、該磁石は該装飾部材と該第１の部材とが係合されるとき、長手方向軸に沿って該側壁の遠位に全体が配置される、装飾用デバイス。